(57)【要約】【課題】所望する角度に容易に設定することができ、ナンバープレート上のナンバー表示部に車載アクセサリの影がかからないようにした取り付けが容易な車載アクセサリの固定具と、当該固定具による車載アクセサリの取付方法を提供する。【解決手段】車載アクセサリの固定具１０は、ブラケット１１とボルト１２とからなる。ブラケットは、一端に車載カメラ２０が取り付けられる取付部１３が形成され、他端に穴１４が形成され、当該穴にはボルト１２が挿通されている。ボルト１２は、軸に沿って形成された貫通孔１６を有し、該貫通孔１６には、車載カメラ２０の電源映像出力ケーブル２４が遊貫されている。そして、ボルト１２をナンバープレート固定用の穴へ挿通して固着することにより、車体に貫通孔を設けることなく電源映像出力ケーブル２１を車内に引き込むことができる。【選択図】図１
2011207339.tif 000002
【特許請求の範囲】
【請求項１】
車内に設置された車載用電子機器とケーブル類で有線接続される車載アクセサリを、車外の所定位置に取り付けるための車載アクセサリの固定具であって、
該固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴を備え、
前記ボルトは、軸方向に沿って形成された貫通孔を有し、該貫通孔は、前記ケーブル類が遊貫可能な内径を備えていることを特徴とする車載アクセサリの固定具。
【請求項２】
前記穴に対して、前記取付部が車体の外方向に位置するように、
前記ブラケットの中間部を曲げたことを特徴とする請求項１に記載の車載アクセサリの固定具。
【請求項３】
車内に設置された車載用電子機器とケーブル類で有線接続される車載アクセサリを、車外の所定位置に取り付けるための車載アクセサリの固定具を用いた車載アクセサリの取付方法であって、
前記固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴を備え、
前記ボルトは、軸方向に沿って形成された貫通孔を有し、該貫通孔は、前記ケーブル類が遊貫可能な内径を備え、
前記車載アクセサリを前記取付部に取り付け、
前記車載アクセサリへ接続した前記ケーブル類を前記貫通孔へ遊貫すると共に、前記ボルトを前記穴へ挿通し、
前記ボルトを車体のナンバープレート固定用の穴に挿通して固着したことを特徴とする車載アクセサリの取付方法。
【発明の詳細な説明】
【技術分野】
【０００１】
本発明は、車内に設置された車載用電子機器とケーブル類によって有線接続される車載アクセサリを、車外の所定位置に取り付けるための車載アクセサリの固定具と、当該固定具による車載アクセサリの取付方法に関する。
【背景技術】
【０００２】
近年、自動車は、運転を支援するために数々の車載アクセサリを有していることが多い。
車載アクセサリとは、例えば、車両の周囲を撮影する車載カメラ、自車の存在を周囲に報知するポジショニングライト、駐車時に車体が壁面や車止めに衝突することを防ぐための近接センサ、或いは、車間距離を適正な間隔に保持するレーダーやソナー等がある。当該車載アクセサリは、車内に設置された車載用電子機器、例えば、カーナビゲーションシステム或いは速度制御装置とケーブル類で有線接続され、車外の所定位置に取り付けられている。
上記の車載アクセサリの一例として、特開２００７−２２３３４２号公報に開示されている後方監視カメラがある。
当該後方監視カメラは、車体後方を撮影するために、車両後部のナンバープレートの取り付け位置に形成されている凹部に配置されている。これにより、車両デザインを損なうことなく、後方監視カメラが車体から突出しないようにしている
しかし、上記の後方監視カメラを車体に取り付ける場合は、当該後方監視カメラを固定するためのネジ穴を車体に設けなければならない。
当該ネジ穴は、後方監視カメラを外すと跡が残るので、車を下取りに出したときに下取り価格が低くなるおそれがある。
また、通常、上記の車載アクセサリは、取付位置を決定し、車体にネジ穴を設け、車載アクセサリを取り付けて、該車載アクセサリと車載用電子機器とをケーブル類で接続するといった一連の取付作業が必要である。当該取付作業は、一般的な車両所有者にとっては困難であることから、手間とコストがかかる。
【０００３】
そこで、車体にネジ穴を設けないようにして、取付作業を容易にした車載カメラが図５に示す車載カメラＡである。
車載カメラＡは、カメラ本体を収納したハウジングＢと、該ハウジングＢの後側面に固定されているボルトＣとからなる。
ボルトＣは軸に沿った方向に貫通孔を備え、該貫通孔は、カメラ本体に接続されるケーブル類Ｄが挿通されている。
そして、図６に示すように、ボルトＣをナンバープレートの固定用の穴に挿通して固着し、車載カメラＡをナンバープレート上の所定位置に取り付けている。
車載カメラＡによれば、ナンバープレートを車体に取り付けるための穴を共用することにより、新たに車体へケーブル類の引き込み用の貫通孔を設ける作業を省くことができる。そのため、車両所有者は、車載カメラＡの取付作業を容易にでき、さらに、車載カメラＡを外しても車体に余計なネジ穴の跡が残らないので下取り価格が減額されないようにすることができる。
【先行技術文献】
【特許文献】
【０００４】
【特許文献１】特開２００７−２２３３４２号公報
【発明の概要】
【発明が解決しようとする課題】
【０００５】
しかしながら、上記の車載カメラＡは、ボルトＣがハウジングＢに固定されていることから、ナンバープレートの固定用の穴にボルトを挿通して固着するとき、ハウジングＢも一体に回動する。そのため、ハウジングＢに収納されているカメラ本体を所望する角度に設定することが容易ではなく、レンズの天地方向がズレて、モニタ画面に正しい画像が表示されないおそれがある。
また、ハウジングＢはナンバープレート表面から大きく突出して設置され、ナンバープレート上部に配されている夜間照明用の光源に近接する。そのため、図６に示すように、該ナンバープレート上のナンバー表示部Ｄに、大きな影がかかる。このとき、ハウジングＢはボルトＣと一体であるので、取付位置を調整して影を小さくすることができず、当該影によって、ナンバー表示部に記載されているナンバーの判読が困難になるおそれがある。
【０００６】
したがって、本願発明が解決しようとする課題は、所望する角度に容易に設定することができ、ナンバープレート上のナンバー表示部に車載アクセサリの影がかからないようにした取り付けが容易な車載アクセサリの固定具と、当該固定具による車載アクセサリの取付方法を提供することを目的とする。
【課題を解決するための手段】
【０００７】
請求項１に記載の車載アクセサリの固定具は、車内に設置された車載用電子機器とケーブル類で有線接続される車載アクセサリを、車外の所定位置に取り付けるための車載アクセサリの固定具であって、該固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴を備え、
前記ボルトは、軸方向に沿って形成された貫通孔を有し、該貫通孔は、前記ケーブル類が遊貫可能な内径を備えていることを特徴とする。
【０００８】
請求項２に記載の車載アクセサリの固定具は、請求項１に記載の発明において、前記穴に対して、前記取付部が車体の外方向に位置するように、前記ブラケットの中間部を曲げたことを特徴とする。
【０００９】
請求項３に記載の車載アクセサリの取付方法は、車内に設置された車載用電子機器とケーブル類で有線接続される車載アクセサリを、車外の所定位置に取り付けるための車載アクセサリの固定具による車載アクセサリの取付方法であって、
前記固定具は、前記車載アクセサリを取り付けるブラケットと、該ブラケットを車体へ固定するボルトとからなり、前記ブラケットは、一端に前記車載アクセサリを取り付ける取付部を備え、他端に前記ボルトを挿通する穴を備え、前記ボルトは、軸方向に沿って形成された貫通孔を有し、該貫通孔は、前記ケーブル類が遊貫可能な内径を備え、
前記車載アクセサリを前記取付部に取り付け、
前記車載アクセサリへ接続した前記ケーブル類を前記貫通孔へ遊貫すると共に、前記ボルトを前記穴へ挿通し、
前記ボルトを車体のナンバープレート固定用の穴に挿通して固着したことを特徴とする。
【発明の効果】
【００１０】
請求項１に記載の車載アクセサリの固定具によれば、当該固定具は、車載アクセサリが取り付けられるブラケットと、該ブラケットを固定するボルトとからなる。これにより、車載アクセサリをブラケットで所定の位置に保持すると共に、ブラケットをボルトで締め付けて車体へ固定することができる。そのため、車載アクセサリの取付位置を動かさずに車体へ固定することができるので、取付作業を容易に行うことができる。
【００１１】
請求項２に記載の車載アクセサリの固定具によれば、ボルトが挿通される穴に対して取付部が車体の外方向に位置するようブラケットの中間部が曲げられている。
これにより、車載アクセサリを車体に取り付けたとき、車体外側面から離すことができる。
ここで、例えば、ナンバープレートの夜間照明用のライトは、一般的にナンバープレートを固定しているボルトの上方に配されている。そのため、当該ライトから車載アクセサリを離すようにブラケットの取付位置を調整することにより、ナンバー表示部にかかる影を小さくすることができる。
【００１２】
請求項３に記載の車載アクセサリの取付方法によれば、貫通孔を備えたボルトをナンバープレート固定用の穴に挿通して固着することにより、車体に穴あけ加工を施さなくても、車体内外を貫通する穴を形成することができる。これにより、車載アクセサリに接続されるケーブル類を車内へ引き込むことが容易にできるので、車載アクセサリの取付作業を容易に行うことができる。また、ケーブル類の取り回しが良くなることから、車載アクセサリを取り付けたときの見栄えを良くすることができる。
加えて、車体に余分な穴あけ加工を施さないので、車載アクセサリを取り外したときに車体に跡を残さないようにすることができる。
【図面の簡単な説明】
【００１３】
【図１】第１実施例に係る車載アクセサリの固定具を示す斜視図である。
【図２】第１実施例に係る車載アクセサリの固定具の構成を示す斜視分解図である。
【図３】第１実施例に係る車載アクセサリの固定具による車載アクセサリの取付方法を示す説明図である。
【図４】第２実施例に係る車載アクセサリの固定具を示す斜視図である。
【図５】従来の車載カメラの一例を示す斜視図である。
【図６】従来の車載カメラの取付方法を示す説明図である。
【実施例１】
【００１４】
本願発明に係る車載アクセサリの固定具の実施例を、添付した図面にしたがって説明する。
図１及び図２は、本実施例に係る車載アクセサリの固定具を示す斜視図である。
【００１５】
車載アクセサリの固定具１０は、ブラケット１１とボルト１２とからなり、ブラケット１１の一端には車載アクセサリの一例として車載カメラ２０が取り付けられている。
ブラケット１１は、その一端に車載カメラ２０が取り付けられる取付部１３が形成され、他端にブラケット１１の長手方向に沿って形成された長穴と、該長穴の中心部にボルト１２の外径と略同一な径の穴とからなる略十字状の穴１４が形成され、当該穴１４にはボルト１２が挿通されている。
本実施例において、ボルト１２を挿通する穴を略十字状に形成したが、これに限定されるものではなく、例えば、当該他端に馬蹄形状の半穴を設けても良い。
ブラケット１１の中間部１５は、平面側からみたとき、その両端がそれぞれ略Ｌ字状に折り曲げられている。これにより、穴１４に対して取付部１３は、車体の外方向に位置するので、車載カメラ２０を車体表面から離すことができる。そのため、該車載カメラの後端部が車体を擦って、車体に傷が付くことを防ぐことができる。
また、ブラケット１１の中間部１５は、側面側からみたとき、当該中間部１５に対して取付部１３の基端が所定の角度を成すように折り曲げられている。これにより、車載カメラ２０は所定の方向を指向することができる。
【００１６】
ボルト１２は、軸方向に沿って貫通孔１６が形成された六角ボルトからなる。該六角ボルトは、市販されている工具で自在に着脱することができる。そのため、特殊な工具を用意しなくても車載カメラ２０を容易に取り付けることができる。
貫通孔１６の内径は、後述する電源映像出力ケーブル２４が遊貫可能な大きさを有している。そのため、電源映像出力ケーブル２４をスムーズに挿通することができる。
【００１７】
車載カメラ２０は、カメラ本体２１と、ハウジング２２と、レンズフード２３と、電源映像出力ケーブル２４とからなる。
【００１８】
カメラ本体２１は、レンズ（図示略）と撮像素子（図示略）とからなり、撮影した画像を電気的に変換して車載用電子機器に出力する。
ハウジング２２は、カメラ本体２１を収納し、前面に強化ガラス又はアクリル製のレンズカバー（図示略）が接着されている。これにより、カメラ本体２１のレンズを保護することができ、レンズカバーをハウジング２２へ接着してハウジング２２を密封したことにより、防水性及び防塵性を高めることができる。また、レンズカバーの近傍には雄ネジが形成されている。
【００１９】
レンズフード２３は、内側にハウジング２２の雄ネジと螺合する雌ネジが形成されている。レンズフード２３をハウジング２２に螺着したとき、レンズフード２３はハウジング２２と共に取付部１３を挟持する。また、レンズフード２３によって、レンズカバーの周縁が欠損することを防ぐことができる。そして、レンズフード２３をハウジング２２に螺着したことにより、防水性及び防塵性を高めることができる。
さらに、レンズカバー２３を少し緩めたときにハウジング２２を自在に回動することができる。そのため、カメラ本体２１を所定の角度に調整することが容易にできる。
【００２０】
電源映像出力ケーブル２４は、カメラ本体２１に電源を供給する電線と、カメラ本体２１から映像をカーナビゲーションシステムの映像入力端子に出力する映像出力線とを一本のケーブルにまとめた同軸ケーブルからなる。該電源映像出力ケーブル２４の外径は、貫通孔１６の内径よりも小さい。そのため、電源映像出力ケーブル２４は、貫通孔１６へ容易に挿通することができ、車内に容易に引き込むことができるので、車載カメラ２０を容易に取り付けることができる。
また、電源映像出力ケーブル２４を一本のケーブルにまとめて、貫通孔１６に挿通したことにより、車載カメラ２０周辺の配線の取り回しをすっきりとさせることができるので、取り付けたときの見栄えを良くすることができる。
さらに、上記のように電源映像出力ケーブル２４は、貫通孔１６に遊貫されている。これにより、カメラ本体２１の取付位置を調整する場合に、ハウジング２２を回動して電源映像出力ケーブル２４のボルト１２の頭部から露出している部分の長さが変わったときであっても、貫通孔１６をスムーズに出入りする電源映像出力ケーブル２４には、負荷かからないので、断線事故を防ぐことができる。
【００２１】
なお、本実施例において、ブラケット１１に固定される車載アクセサリの一例として車載カメラ２０を挙げたが、これに限定されるものではない。
本実施例のブラケット１１に取り付けられる車載アクセサリとは、例えば、本実施例にかかる車載カメラ２０、後述する照明装置２５、さらには、駐車時に車体が壁面や車止めに衝突することを防ぐための近接センサ、或いは、車間距離を適正な間隔に保持するレーダーやソナー等を例示することができる。当該車載アクセサリは、車内に設置された車載用電子機器、例えば、カーナビゲーションシステム、警報装置、或いは速度制御装置とケーブル類で有線接続され、車外の所定位置に取り付けられている。
【００２２】
車載アクセサリの固定具１０は上記の構成を有する。当該固定具１０による車載アクセサリの取付方法を添付した図３にしたがって、以下に説明する。
【００２３】
一般的に、自動車のナンバープレート３０は、該ナンバープレート３０の上部を２本のボルトで締め付けることにより車体へ固定されている。
自動車の前後に取り付けられたナンバープレート３０のうち後部のナンバープレート３０は、固定する２本のボルトのうち、一方はナンバープレート３０の付替えによる改竄を防止するために封印され、他方のボルトは取り外すことができる。
【００２４】
取り外すことができるボルトを外すと、ナンバープレート上にナンバープレート固定用の穴３１が形成される。
当該ナンバープレート３０の固定用の穴３１にボルト１２を通す。ボルト１２は、予めブラケット１１の穴１４に通してあり、さらに、貫通孔１６に予め電源映像出力ケーブル２４を通してある。
そして、ナンバープレート３０の固定用の穴３１に通したボルト１２を、穴３１の内側面に切られた雌ネジに螺合して固定するか、又は車体裏面側でナットに螺着する。
これにより、ブラケット１１をナンバープレート上の所定位置で固定することができる。
このとき、図１又は図２に示すように、ボルト１２の貫通孔１６には予め電源映像出力ケーブル２４が挿通してあるので、車体に穴あけ加工をしなくても、電源映像出力ケーブル２４を車体内側に引き込むことができる。そのため、車載カメラ２０の取付作業を容易にすることができる。
【実施例２】
【００２５】
次に、車載アクセサリとして照明装置を用いた実施例を添付した図面にしたがって説明する。
図４は、第２実施例に係る車載アクセサリの固定具を示す斜視図である。
【００２６】
車載アクセサリの固定具１０Ａは、ブラケット１１Ａとボルト１２とからなり、ブラケット１１Ａの一端には車載アクセサリの一例として照明装置２５が取り付けられている。
ブラケット１１Ａは、その一端に照明装置２５が取り付けられる取付部１３Ａが形成され、他端にブラケット１１の長手方向に沿って形成された長穴と、該長穴の中心部にボルト１２の外径と略同一な径の穴とからなる略十字状の穴１４が形成され、当該穴１４にはボルト１２が挿通されている。
その他ブラケット１１Ａ及びボルト１２の構成は、第１実施例と同様であるので、説明を省略する。
【００２７】
取付部１３Ａに取り付けられた照明装置２５は、複数個のＬＥＤ２５ａと一枚の基板２６とからなる。基板２６の表面には回路（図示略）が形成されている。
ＬＥＤ２５ａは基板２６の所定の位置に行列状に整列され固着されている。
本実施例においては、３×５個のＬＥＤを配列した例を示したがこれに限定されるものではなく、使用目的に応じて、ＬＥＤ２５ａの数を増減することができる。
基板２６には、車載電源から電源を供給する電源ケーブル２７が接続されている。
電源ケーブル２７は、第１実施例の電源映像出力ケーブル２４と同様に、ボルト１２が有する貫通孔１６に挿通されている。
なお、本実施例では照明装置２５を構成する光源をＬＥＤ２５ａから構成したが、これに限定されるものではなく、電球や蛍光灯、有機ＥＬライト等を用いても良い。
第２実施例にかかる車載アクセサリの固定具１０Ａは上記の構成を有する。当該固定具１０Ａによる車載アクセサリの取付方法は、第１実施例と同様であるので、説明を省略する。
【００２８】
本実施例に係る車載アクセサリの固定具１０，１０Ａによれば、既に車体に設けられているナンバープレート固定用の穴３１を用いることから、車載アクセサリの取付位置に迷わなくてすむ。そのため、車載アクセサリの取付作業を迅速に行うことができる。
また、ブラケット１１，１１Ａの中間部１５を曲げて、車載カメラ２０又は照明装置２５をナンバープレートの固定用の穴３１から離したことにより、夜間照明用のライトから車載カメラ２０又は照明装置２５を離すことができる。そのためライトから照射される光によってナンバープレート３０上に生じてしまう影を小さくすることができる。
なお、本実施例において、車載カメラ２０又は照明装置２５を別々の固定具に取り付けて示したが、これに限定されるものではない。例えば、一つのブラケット１１，１１Ａの取付部１３上に車載カメラ２０と照明装置２５の両方を取り付けるようにしても良い。また、ブラケット１１，１１Ａは薄板からなるので、固定具１０，１０Ａの両方を一本のボルト１２でナンバープレート固定用の穴３１に固定することもできる。
さらに、ブラケット１１の中間部１５を長くすれば、レンズの光軸を図５に示した従来のカメラＡよりも、ナンバープレートの中心線上、すなわち、車体中心に近づけることができる。これにより、歪みの少ない画像を撮影することができる。
【符号の説明】
【００２９】
１０，１０Ａ…車載アクセサリの固定具、１１，１１Ａ…ブラケット、１２…ボルト、１３，１３Ａ…取付部、１４…穴、１５…ブラケットの中間部、１６…貫通孔、
２０…車載カメラ、２１…カメラ本体、２２…ハウジング、２３…レンズカバー、２４…電源映像出力ケーブル、
２５…照明装置、２５ａ…ＬＥＤ、２６…基板、２７…電源ケーブル、
３０…ナンバープレート、３０ａ…ナンバー表示部、３１…ナンバープレート固定用の穴。
【図１】
2011207339.tif 000003
【図２】
2011207339.tif 000004
【図３】
2011207339.tif 000005
【図４】
2011207339.tif 000006
【図５】
2011207339.tif 000007
【図６】
2011207339.tif 000008
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
車内に設置された車載用電子機器とケーブル類で有線接続される車載アクセサリを、車外の所定位置に取り付けるための車載アクセサリの固定具であって、
該固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴を備え、
前記ボルトは、軸方向に沿って形成された貫通孔を有し、該貫通孔は、前記ケーブル類が遊貫可能な内径を備えていることを特徴とする車載アクセサリの固定具。
【請求項２】
前記穴を半穴とすることを特徴とする請求項１に記載の車載アクセサリの固定具。
【請求項３】
前記穴に対して、前記取付部が車体の外方向に位置するように、
前記ブラケットの中間部を曲げたことを特徴とする請求項１若しくは請求項２に記載の車載アクセサリの固定具。
【請求項４】
車内に設置された車載用電子機器とケーブル類で有線接続される車載アクセサリを、車外の所定位置に取り付けるための車載アクセサリの固定具を用いた車載アクセサリの取付方法であって、
前記固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴又は半穴を備え、
前記ボルトは、軸方向に沿って形成された貫通孔を有し、該貫通孔は、前記ケーブル類が遊貫可能な内径を備え、
前記車載アクセサリを前記取付部に取り付け、
前記車載アクセサリへ接続した前記ケーブル類を前記貫通孔へ遊貫すると共に、前記ボルトを前記穴又は前記半穴へ挿通し、
前記ボルトを車体のナンバープレート固定用の穴に挿通して固着したことを特徴とする車載アクセサリの取付方法。
【手続補正２】
【補正対象書類名】明細書
【補正対象項目名】全文
【補正方法】変更
【補正の内容】
【発明の詳細な説明】
【技術分野】
【０００１】
本発明は、車内に設置された車載用電子機器とケーブル類によって有線接続される車載アクセサリを、車外の所定位置に取り付けるための車載アクセサリの固定具と、当該固定具による車載アクセサリの取付方法に関する。
【背景技術】
【０００２】
近年、自動車は、運転を支援するために数々の車載アクセサリを有していることが多い。
車載アクセサリとは、例えば、車両の周囲を撮影する車載カメラ、自車の存在を周囲に報知するポジショニングライト、駐車時に車体が壁面や車止めに衝突することを防ぐための近接センサ、或いは、車間距離を適正な間隔に保持するレーダーやソナー等がある。当該車載アクセサリは、車内に設置された車載用電子機器、例えば、カーナビゲーションシステム或いは速度制御装置とケーブル類で有線接続され、車外の所定位置に取り付けられている。
上記の車載アクセサリの一例として、特開２００７−２２３３４２号公報に開示されている後方監視カメラがある。
当該後方監視カメラは、車体後方を撮影するために、車両後部のナンバープレートの取り付け位置に形成されている凹部に配置されている。これにより、車両デザインを損なうことなく、後方監視カメラが車体から突出しないようにしている
しかし、上記の後方監視カメラを車体に取り付ける場合は、当該後方監視カメラを固定するためのネジ穴を車体に設けなければならない。
当該ネジ穴は、後方監視カメラを外すと跡が残るので、車を下取りに出したときに下取り価格が低くなるおそれがある。
また、通常、上記の車載アクセサリは、取付位置を決定し、車体にネジ穴を設け、車載アクセサリを取り付けて、該車載アクセサリと車載用電子機器とをケーブル類で接続するといった一連の取付作業が必要である。当該取付作業は、一般的な車両所有者にとっては困難であることから、手間とコストがかかる。
【０００３】
そこで、車体にネジ穴を設けないようにして、取付作業を容易にした車載カメラが図５に示す車載カメラＡである。
車載カメラＡは、カメラ本体を収納したハウジングＢと、該ハウジングＢの後側面に固定されているボルトＣとからなる。
ボルトＣは軸に沿った方向に貫通孔を備え、該貫通孔は、カメラ本体に接続されるケーブル類Ｄが挿通されている。
そして、図６に示すように、ボルトＣをナンバープレートの固定用の穴に挿通して固着し、車載カメラＡをナンバープレート上の所定位置に取り付けている。
車載カメラＡによれば、ナンバープレートを車体に取り付けるための穴を共用することにより、新たに車体へケーブル類の引き込み用の貫通孔を設ける作業を省くことができる。そのため、車両所有者は、車載カメラＡの取付作業を容易にでき、さらに、車載カメラＡを外しても車体に余計なネジ穴の跡が残らないので下取り価格が減額されないようにすることができる。
【先行技術文献】
【特許文献】
【０００４】
【特許文献１】特開２００７−２２３３４２号公報
【発明の概要】
【発明が解決しようとする課題】
【０００５】
しかしながら、上記の車載カメラＡは、ボルトＣがハウジングＢに固定されていることから、ナンバープレートの固定用の穴にボルトを挿通して固着するとき、ハウジングＢも一体に回動する。そのため、ハウジングＢに収納されているカメラ本体を所望する角度に設定することが容易ではなく、レンズの天地方向がズレて、モニタ画面に正しい画像が表示されないおそれがある。
また、ハウジングＢはナンバープレート表面から大きく突出して設置され、ナンバープレート上部に配されている夜間照明用の光源に近接する。そのため、図６に示すように、該ナンバープレート上のナンバー表示部Ｄに、大きな影がかかる。このとき、ハウジングＢはボルトＣと一体であるので、取付位置を調整して影を小さくすることができず、当該影によって、ナンバー表示部に記載されているナンバーの判読が困難になるおそれがある。
【０００６】
したがって、本願発明が解決しようとする課題は、所望する角度に容易に設定することができ、ナンバープレート上のナンバー表示部に車載アクセサリの影がかからないようにした取り付けが容易な車載アクセサリの固定具と、当該固定具による車載アクセサリの取付方法を提供することを目的とする。
【課題を解決するための手段】
【０００７】
請求項１に記載の車載アクセサリの固定具は、車内に設置された車載用電子機器とケーブル類で有線接続される車載アクセサリを、車外の所定位置に取り付けるための車載アクセサリの固定具であって、該固定具は、前記車載アクセサリを取り付けるブラケットと、該ブラケットを車体へ固定するボルトとからなり、
前記ブラケットは、一端に前記車載アクセサリを取り付ける取付部を備え、他端に前記ボルトを挿通する穴を備え、
前記ボルトは、軸方向に沿って形成された貫通孔を有し、該貫通孔は、前記ケーブル類が遊貫可能な内径を備えていることを特徴とする。
【０００８】
請求項２に記載の車載アクセサリの固定具は、請求項１に記載の発明において、前記穴を半穴とすることを特徴とする。
【０００９】
請求項３に記載の車載アクセサリの固定具は、請求項１若しくは請求項２に記載の発明において、前記穴に対して、前記取付部が車体の外方向に位置するように、前記ブラケットの中間部を曲げたことを特徴とする。
【００１０】
請求項４に記載の車載アクセサリの取付方法は、車内に設置された車載用電子機器とケーブル類で有線接続される車載アクセサリを、車外の所定位置に取り付けるための車載アクセサリの固定具による車載アクセサリの取付方法であって、
前記固定具は、前記車載アクセサリを取り付けるブラケットと、該ブラケットを車体へ固定するボルトとからなり、前記ブラケットは、一端に前記車載アクセサリを取り付ける取付部を備え、他端に前記ボルトを挿通する穴又は半穴を備え、前記ボルトは、軸方向に沿って形成された貫通孔を有し、該貫通孔は、前記ケーブル類が遊貫可能な内径を備え、
前記車載アクセサリを前記取付部に取り付け、
前記車載アクセサリへ接続した前記ケーブル類を前記貫通孔へ遊貫すると共に、前記ボルトを前記穴又は前記半穴へ挿通し、
前記ボルトを車体のナンバープレート固定用の穴に挿通して固着したことを特徴とする。
【発明の効果】
【００１１】
請求項１又は請求項２に記載の車載アクセサリの固定具によれば、当該固定具は、車載アクセサリが取り付けられるブラケットと、該ブラケットを固定するボルトとからなる。これにより、車載アクセサリをブラケットで所定の位置に保持すると共に、ブラケットをボルトで締め付けて車体へ固定することができる。そのため、車載アクセサリの取付位置を動かさずに車体へ固定することができるので、取付作業を容易に行うことができる。
【００１２】
請求項３に記載の車載アクセサリの固定具によれば、ボルトが挿通される穴に対して取付部が車体の外方向に位置するようブラケットの中間部が曲げられている。
これにより、車載アクセサリを車体に取り付けたとき、車体外側面から離すことができる。
ここで、例えば、ナンバープレートの夜間照明用のライトは、一般的にナンバープレートを固定しているボルトの上方に配されている。そのため、当該ライトから車載アクセサリを離すようにブラケットの取付位置を調整することにより、ナンバー表示部にかかる影を小さくすることができる。
【００１３】
請求項４に記載の車載アクセサリの取付方法によれば、貫通孔を備えたボルトをナンバープレート固定用の穴に挿通して固着することにより、車体に穴あけ加工を施さなくても、車体内外を貫通する穴を形成することができる。これにより、車載アクセサリに接続されるケーブル類を車内へ引き込むことが容易にできるので、車載アクセサリの取付作業を容易に行うことができる。また、ケーブル類の取り回しが良くなることから、車載アクセサリを取り付けたときの見栄えを良くすることができる。
加えて、車体に余分な穴あけ加工を施さないので、車載アクセサリを取り外したときに車体に跡を残さないようにすることができる。
【図面の簡単な説明】
【００１４】
【図１】第１実施例に係る車載アクセサリの固定具を示す斜視図である。
【図２】第１実施例に係る車載アクセサリの固定具の構成を示す斜視分解図である。
【図３】第１実施例に係る車載アクセサリの固定具による車載アクセサリの取付方法を示す説明図である。
【図４】第２実施例に係る車載アクセサリの固定具を示す斜視図である。
【図５】従来の車載カメラの一例を示す斜視図である。
【図６】従来の車載カメラの取付方法を示す説明図である。
【実施例１】
【００１５】
本願発明に係る車載アクセサリの固定具の実施例を、添付した図面にしたがって説明する。
図１及び図２は、本実施例に係る車載アクセサリの固定具を示す斜視図である。
【００１６】
車載アクセサリの固定具１０は、ブラケット１１とボルト１２とからなり、ブラケット１１の一端には車載アクセサリの一例として車載カメラ２０が取り付けられている。
ブラケット１１は、その一端に車載カメラ２０が取り付けられる取付部１３が形成され、他端にブラケット１１の長手方向に沿って形成された長穴と、該長穴の中心部にボルト１２の外径と略同一な径の穴とからなる略十字状の穴１４が形成され、当該穴１４にはボルト１２が挿通されている。
本実施例において、ボルト１２を挿通する穴を略十字状に形成したが、これに限定されるものではなく、例えば、当該他端に馬蹄形状の半穴を設けても良い。
ブラケット１１の中間部１５は、平面側からみたとき、その両端がそれぞれ略Ｌ字状に折り曲げられている。これにより、穴１４に対して取付部１３は、車体の外方向に位置するので、車載カメラ２０を車体表面から離すことができる。そのため、該車載カメラの後端部が車体を擦って、車体に傷が付くことを防ぐことができる。
また、ブラケット１１の中間部１５は、側面側からみたとき、当該中間部１５に対して取付部１３の基端が所定の角度を成すように折り曲げられている。これにより、車載カメラ２０は所定の方向を指向することができる。
【００１７】
ボルト１２は、軸方向に沿って貫通孔１６が形成された六角ボルトからなる。該六角ボルトは、市販されている工具で自在に着脱することができる。そのため、特殊な工具を用意しなくても車載カメラ２０を容易に取り付けることができる。
貫通孔１６の内径は、後述する電源映像出力ケーブル２４が遊貫可能な大きさを有している。そのため、電源映像出力ケーブル２４をスムーズに挿通することができる。
【００１８】
車載カメラ２０は、カメラ本体２１と、ハウジング２２と、レンズフード２３と、電源映像出力ケーブル２４とからなる。
【００１９】
カメラ本体２１は、レンズ（図示略）と撮像素子（図示略）とからなり、撮影した画像を電気的に変換して車載用電子機器に出力する。
ハウジング２２は、カメラ本体２１を収納し、前面に強化ガラス又はアクリル製のレンズカバー（図示略）が接着されている。これにより、カメラ本体２１のレンズを保護することができ、レンズカバーをハウジング２２へ接着してハウジング２２を密封したことにより、防水性及び防塵性を高めることができる。また、レンズカバーの近傍には雄ネジが形成されている。
【００２０】
レンズフード２３は、内側にハウジング２２の雄ネジと螺合する雌ネジが形成されている。レンズフード２３をハウジング２２に螺着したとき、レンズフード２３はハウジング２２と共に取付部１３を挟持する。また、レンズフード２３によって、レンズカバーの周縁が欠損することを防ぐことができる。そして、レンズフード２３をハウジング２２に螺着したことにより、防水性及び防塵性を高めることができる。
さらに、レンズカバー２３を少し緩めたときにハウジング２２を自在に回動することができる。そのため、カメラ本体２１を所定の角度に調整することが容易にできる。
【００２１】
電源映像出力ケーブル２４は、カメラ本体２１に電源を供給する電線と、カメラ本体２１から映像をカーナビゲーションシステムの映像入力端子に出力する映像出力線とを一本のケーブルにまとめた同軸ケーブルからなる。該電源映像出力ケーブル２４の外径は、貫通孔１６の内径よりも小さい。そのため、電源映像出力ケーブル２４は、貫通孔１６へ容易に挿通することができ、車内に容易に引き込むことができるので、車載カメラ２０を容易に取り付けることができる。
また、電源映像出力ケーブル２４を一本のケーブルにまとめて、貫通孔１６に挿通したことにより、車載カメラ２０周辺の配線の取り回しをすっきりとさせることができるので、取り付けたときの見栄えを良くすることができる。
さらに、上記のように電源映像出力ケーブル２４は、貫通孔１６に遊貫されている。これにより、カメラ本体２１の取付位置を調整する場合に、ハウジング２２を回動して電源映像出力ケーブル２４のボルト１２の頭部から露出している部分の長さが変わったときであっても、貫通孔１６をスムーズに出入りする電源映像出力ケーブル２４には、負荷かからないので、断線事故を防ぐことができる。
【００２２】
なお、本実施例において、ブラケット１１に固定される車載アクセサリの一例として車載カメラ２０を挙げたが、これに限定されるものではない。
本実施例のブラケット１１に取り付けられる車載アクセサリとは、例えば、本実施例にかかる車載カメラ２０、後述する照明装置２５、さらには、駐車時に車体が壁面や車止めに衝突することを防ぐための近接センサ、或いは、車間距離を適正な間隔に保持するレーダーやソナー等を例示することができる。当該車載アクセサリは、車内に設置された車載用電子機器、例えば、カーナビゲーションシステム、警報装置、或いは速度制御装置とケーブル類で有線接続され、車外の所定位置に取り付けられている。
【００２３】
車載アクセサリの固定具１０は上記の構成を有する。当該固定具１０による車載アクセサリの取付方法を添付した図３にしたがって、以下に説明する。
【００２４】
一般的に、自動車のナンバープレート３０は、該ナンバープレート３０の上部を２本のボルトで締め付けることにより車体へ固定されている。
自動車の前後に取り付けられたナンバープレート３０のうち後部のナンバープレート３０は、固定する２本のボルトのうち、一方はナンバープレート３０の付替えによる改竄を防止するために封印され、他方のボルトは取り外すことができる。
【００２５】
取り外すことができるボルトを外すと、ナンバープレート上にナンバープレート固定用の穴３１が形成される。
当該ナンバープレート３０の固定用の穴３１にボルト１２を通す。ボルト１２は、予めブラケット１１の穴１４に通してあり、さらに、貫通孔１６に予め電源映像出力ケーブル２４を通してある。
そして、ナンバープレート３０の固定用の穴３１に通したボルト１２を、穴３１の内側面に切られた雌ネジに螺合して固定するか、又は車体裏面側でナットに螺着する。
これにより、ブラケット１１をナンバープレート上の所定位置で固定することができる。
このとき、図１又は図２に示すように、ボルト１２の貫通孔１６には予め電源映像出力ケーブル２４が挿通してあるので、車体に穴あけ加工をしなくても、電源映像出力ケーブル２４を車体内側に引き込むことができる。そのため、車載カメラ２０の取付作業を容易にすることができる。
【実施例２】
【００２６】
次に、車載アクセサリとして照明装置を用いた実施例を添付した図面にしたがって説明する。
図４は、第２実施例に係る車載アクセサリの固定具を示す斜視図である。
【００２７】
車載アクセサリの固定具１０Ａは、ブラケット１１Ａとボルト１２とからなり、ブラケット１１Ａの一端には車載アクセサリの一例として照明装置２５が取り付けられている。
ブラケット１１Ａは、その一端に照明装置２５が取り付けられる取付部１３Ａが形成され、他端にブラケット１１の長手方向に沿って形成された長穴と、該長穴の中心部にボルト１２の外径と略同一な径の穴とからなる略十字状の穴１４が形成され、当該穴１４にはボルト１２が挿通されている。
その他ブラケット１１Ａ及びボルト１２の構成は、第１実施例と同様であるので、説明を省略する。
【００２８】
取付部１３Ａに取り付けられた照明装置２５は、複数個のＬＥＤ２５ａと一枚の基板２６とからなる。基板２６の表面には回路（図示略）が形成されている。
ＬＥＤ２５ａは基板２６の所定の位置に行列状に整列され固着されている。
本実施例においては、３×５個のＬＥＤを配列した例を示したがこれに限定されるものではなく、使用目的に応じて、ＬＥＤ２５ａの数を増減することができる。
基板２６には、車載電源から電源を供給する電源ケーブル２７が接続されている。
電源ケーブル２７は、第１実施例の電源映像出力ケーブル２４と同様に、ボルト１２が有する貫通孔１６に挿通されている。
なお、本実施例では照明装置２５を構成する光源をＬＥＤ２５ａから構成したが、これに限定されるものではなく、電球や蛍光灯、有機ＥＬライト等を用いても良い。
第２実施例にかかる車載アクセサリの固定具１０Ａは上記の構成を有する。当該固定具１０Ａによる車載アクセサリの取付方法は、第１実施例と同様であるので、説明を省略する。
【００２９】
本実施例に係る車載アクセサリの固定具１０，１０Ａによれば、既に車体に設けられているナンバープレート固定用の穴３１を用いることから、車載アクセサリの取付位置に迷わなくてすむ。そのため、車載アクセサリの取付作業を迅速に行うことができる。
また、ブラケット１１，１１Ａの中間部１５を曲げて、車載カメラ２０又は照明装置２５をナンバープレートの固定用の穴３１から離したことにより、夜間照明用のライトから車載カメラ２０又は照明装置２５を離すことができる。そのためライトから照射される光によってナンバープレート３０上に生じてしまう影を小さくすることができる。
なお、本実施例において、車載カメラ２０又は照明装置２５を別々の固定具に取り付けて示したが、これに限定されるものではない。例えば、一つのブラケット１１，１１Ａの取付部１３上に車載カメラ２０と照明装置２５の両方を取り付けるようにしても良い。また、ブラケット１１，１１Ａは薄板からなるので、固定具１０，１０Ａの両方を一本のボルト１２でナンバープレート固定用の穴３１に固定することもできる。
さらに、ブラケット１１の中間部１５を長くすれば、レンズの光軸を図５に示した従来のカメラＡよりも、ナンバープレートの中心線上、すなわち、車体中心に近づけることができる。これにより、歪みの少ない画像を撮影することができる。
【符号の説明】
【００３０】
１０，１０Ａ…車載アクセサリの固定具、１１，１１Ａ…ブラケット、１２…ボルト、１３，１３Ａ…取付部、１４…穴、１５…ブラケットの中間部、１６…貫通孔、
２０…車載カメラ、２１…カメラ本体、２２…ハウジング、２３…レンズカバー、２４…電源映像出力ケーブル、
２５…照明装置、２５ａ…ＬＥＤ、２６…基板、２７…電源ケーブル、
３０…ナンバープレート、３０ａ…ナンバー表示部、３１…ナンバープレート固定用の穴。